(57)【要約】【課題】１つのキートップ内に並設されている表示要素を利用機能ごとに分けて照光することができる技術の提供。【解決手段】キートップ４の投影面Ｒにおける減衰手段９の分割部９ａによって区画された領域を、それぞれ異なるＬＥＤ１４からのバックライト光で照光することができ、区画領域ごとに個別に照光制御できる。よって１つのキートップ４内に並設されている表示要素を利用機能ごとに分けて照光する照光式キーシート１を実現することができる。【選択図】図５
2010129318.tif 000002
【特許請求の範囲】
【請求項１】
導光シートでなるベースシートと、該ベースシートの操作面側に固着される透光性のキートップと、を備え、バックライト光によってキートップの操作機能を表示する表示要素が照光可能な照光式キーシートであって、
ベースシートが光を伝える導光手段と光を減衰または反射する減衰手段を有し、この減衰手段が導光手段を、光を伝える複数の照光エリアに区分する導光シートであり、
一のキートップの有する複数の操作機能を表示する複数の表示要素が、その表示要素に対応する照光エリアから照光される照光式キーシート。
【請求項２】
減衰手段が、キートップを複数の照光エリアに対応して区分するものであり、かつ、光源からの光放射方向に沿って照光エリアを区分するものである請求項１記載の照光式キーシート。
【請求項３】
ベースシートの操作面側に、透明な樹脂フィルムを設ける請求項１または請求項２記載の照光式キーシート。
【請求項４】
ベースシートの操作面側に、減衰手段を覆う目隠し部を設ける請求項１〜請求項３何れか１項記載の照光式キーシート。
【請求項５】
導光手段と減衰手段との間に、明色層を設ける請求項１〜請求項４何れか１項記載の照光式キーシート。
【請求項６】
導光手段と減衰手段との間に、樹脂フィルムを設ける請求項１〜請求項５何れか１項記載の照光式キーシート。
【請求項７】
導光シートでなるベースシートと、該ベースシートの操作面側に固着される透光性のキートップと、を備え、バックライト光によってキートップの操作機能を表示する表示要素が照光可能な照光式キーシートと、
複数の内部光源を備える回路基板と、を備える押釦スイッチであって、
ベースシートが光を伝える導光手段と光を減衰または反射する減衰手段を有し、この減衰手段が導光手段を光を伝える複数の照光エリアに区分する導光シートであり、
一のキートップの有する複数の操作機能を表示する複数の表示要素が、その表示要素に対応する照光エリアからキーシートが照光される押釦スイッチ。
【発明の詳細な説明】
【技術分野】
【０００１】
本発明は、携帯情報端末機器や、ＰＤＡ、ＡＶ機器、各種リモコン、各種キーボードなどの各種電子機器の操作部に用いられ、電子機器の内部に装着した光源の光（バックライト光）によって照光可能な照光式キーシート及び押釦スイッチに関する。
【背景技術】
【０００２】
携帯情報端末機器やＡＶ機器等の各種電子機器のキーシートには押圧操作を受ける複数のキートップが設けられており、これらキートップは暗所での操作性の向上を意図して、文字、記号などの表示要素をバックライト光によって照光されるものが多い。このバックライト光の光源の一例として発光ダイオード（ＬＥＤ）が利用されている。
【０００３】
こうしたキーシートのデザインは多様化しており、例えば特開２００８−４１４３１号公報には、キーシートを複数のエリアに分割して各エリアごとに発光色の異なるＬＥＤで照光させて、各エリアの照光色を異ならせるという技術が開示されている。このようにすれば、一機能の押圧操作に用いるキートップ郡を同色で照光でき、操作性を高めることができるという利点がある。
【特許文献１】特開２００８−４１４３１号公報
【発明の開示】
【発明が解決しようとする課題】
【０００４】
ところで、電子機器の多機能化に伴い、１つのキートップ内に複数種類の表示要素が並べて設けられていることが多い。例えば、携帯電話機のキートップでは、通話機能で用いる「数字」と、メール機能で用いる「文字」とが、１つのキートップ内に並べて表示されている。特許文献１では、利用機能に用いるキートップ郡を色分けできるが、１つのキートップ内に並べて表示されている表示要素を利用機能ごとに分けて照光することができないという課題がある。上記例えでは、通話機能で用いる「数字」のみ照光したり、メール機能で用いる「文字」のみ照光することはできない。
【０００５】
以上のような従来技術を背景としてなされたのが本発明である。すなわち、本発明の目的は、１つのキートップ内に並設されている表示要素を利用機能ごとに分けて照光することができる技術を提供することにある。
【課題を解決するための手段】
【０００６】
上記目的を達成すべく本発明は、導光シートでなるベースシートと、該ベースシートの操作面側に固着される透光性のキートップと、を備え、バックライト光によってキートップの操作機能を表示する表示要素が照光可能な照光式キーシートであって、ベースシートが光を伝える導光手段と光を減衰または反射する減衰手段を有し、この減衰手段が導光手段を光を伝える複数の照光エリアに区分する導光シートであり、一のキートップの有する複数の操作機能を表示する複数の表示要素が、その表示要素に対応する照光エリアから照光される照光式キーシートを提供する。
を提供する。
【０００７】
本発明では、ベースシートが光を伝える導光手段と光を減衰または反射する減衰手段を有し、この減衰手段が導光手段を光を伝える複数の照光エリアに区分する導光シートである。ベースシートが、光を伝える導光手段と光を減衰または反射する減衰手段を有し、この減衰手段が導光手段を光を伝える複数の照光エリアに区分する導光シートであるため、導光シート内に設けられた減衰手段によって、導光シートが複数の照光エリアに区分されている。
【０００８】
そして、一のキートップの有する複数の操作機能を表示する複数の表示要素が、その表示要素に対応する照光エリアから照光される。一のキートップの有する複数の操作機能を表示する複数の表示要素が、その表示要素に対応する照光エリアから照光されるため、一のキートップが有する複数の表示要素、即ち、数字やアルファベットごとに照光させることができる。
【０００９】
そして、減衰手段が、キートップを複数の照光エリアに対応して区分するものであり、かつ、光源からの光放射方向に沿って照光エリアを区分するものとすることができる。減衰手段が、キートップを複数の照光エリアに対応して区分するものであり、かつ、光源からの光放射方向に沿って照光エリアを区分するものとしたため、キートップ内の複数の領域に分けて、その領域内ごとに照光させることができる。
「光源からの光放射方向に沿う」とは、光源からの光放射方向だけでなく、その方向と略平行な方向をいい、内部光源からの直接光が照らし得る範囲を含むものである。このようにすれば、導光手段を伝わるバックライト光の進路を減衰手段で遮り難くすることができ、導光効率を高めることができる。
【００１０】
導光手段は、導光シートの導光に寄与する部位をいうものであり、ゴム状弾性体や樹脂で形成することができる。導光手段をゴム状弾性体や可撓性のある樹脂とすれば、導光手段を弾性変形可能なベースシートとすることができ、押圧操作の際に弾性変形に伴う押圧操作感を得ることができる。なお、導光手段に拡散層を設ければ、導光手段に伝わるバックライト光をキートップへ入射し易くすることができる。
【００１１】
減衰手段は、導光シートの中で光を減衰または反射する部位をいうものであり、この部分もまたゴム状弾性体で形成することができる。さらに、導光シートの欠けの部分、即ちスリットなどの空間で形成することができる。
減衰手段をゴム状弾性体とすれば、減衰手段が弾性変形することができ、押圧操作の際に押圧操作性を高めることができる。
【００１２】
また、減衰手段を空間とすれば、導光手段を伝わっている光を導光手段と空間との界面で反射し減衰させることができる。このため導光手段を伝わっている光を、空間を挟んだ導光手段へ伝わり難くすることができ、キートップを空間で区画する領域ごとに照光することができる。また、ベースシートを軽量化することができる。そして隣接するキートップどうしの間に中空の減衰手段を設ければ、押圧操作の際にその減衰手段が隣接するキートップへの応力を絶縁することができ、隣接するキートップを連動し難くすることができる。
【００１３】
減衰手段はゴム状弾性体などで形成すれば空間ではなく中実に形成することができる。このように中実に形成すれば、ベースシートの剛性を高めることができ、キーシートの製造や電子機器への装着を容易にすることができる。
さらにゴム状弾性体でなる導光手段と減衰手段の弾性率を同等にすれば、ベースシートを偏り無く弾性変形させることができ、押圧操作感を高めることができると共に正確な押圧操作を実現にすることができる。
【００１４】
ベースシートの操作面側に、透明な樹脂フィルムを設けることができる。このようにすれば、ベースシートの操作面側に設けた樹脂フィルムにキートップを固着するため、導光手段や減衰手段の素材に影響されることなくベースシートとキートップを強固に固着することができる。また、表示要素や拡散層を樹脂フィルムに印刷形成することができ、ベースシートに対して表示要素や拡散層を容易に設けることができる。
ベースシートを製造する際に、樹脂フィルムに導光手段を設けた後に減衰手段を設ければ、導光手段の操作面側に減衰手段が被ることを回避することができ、簡単にベースシートを得ることができる。
【００１５】
ベースシートの操作面側に、減衰手段を覆う目隠し部を設けることができる。光が伝わる導光手段の端面は、明るく見えることがあり、本発明のように、透光性のキートップの裏面側におけるキートップの投影面に減衰手段を設けている場合、その減衰手段と導光手段との界面がキートップを通して明るく見えることがある。しかしながら、ベースシートの操作面側に減衰手段を覆う目隠し部を設ければ、減衰手段と導光手段との界面を、キートップを通して視認し難くすることができ、照光時の見映えを良くすることができる。
【００１６】
導光手段と減衰手段との間に明色層を設けることができる。減衰手段は光を遮り減衰するため、導光手段と減衰手段が接するとバックライト光の導光効率を低下させることがある。しかし導光手段と減衰手段との間に明色層を設ければ、明色層が減衰手段に比べ光を吸収し難くすることができ、導光効率を高めることができる。なお、明色層は明るい感じの層であり、白色層、金属調層などが挙げられる。
【００１７】
導光手段と減衰手段との間に、樹脂フィルムを設けることができる。このようにすれば、ベースシートの剛性を高めることができ、キーシートの製造や電子機器への装着を容易にすることができる。
また、ベースシートを製造する際に、樹脂フィルムを挟んで導光手段と減衰手段を形成するため、導光手段の操作面側に減衰手段が被ること、又は減衰手段の操作面側に導光手段が被ることを回避することができ、簡単にベースシートを得ることができる。
【００１８】
減衰手段を光反射層とすることができる。導光手段を伝わっている光は光反射層で反射し減衰する。このため導光手段を伝わっている光を、光反射層を挟んだ導光手段へ伝わり難くすることができ、キートップを光反射層で区画する領域ごとに照光することができる。
【００１９】
ベースシートの厚み方向に構成される減衰手段の導光手段との界面が、ベースシートの操作面側とは反対の裏面側に臨むものとすることができる。減衰手段と導光手段との界面が押圧操作部を通して明るく見えることがある。しかしながら、減衰手段の導光手段との界面を、ベースシートの裏面側に臨むものとすれば、減衰手段と導光手段との界面を押圧操作部を通して視認し難くすることができ、照光時の見映えを良くすることができる。
【００２０】
減衰手段がゴム状弾性体などで形成される場合には、ベースシートの外縁を形成するものとすることができる。このようにすれば、ベースシートの導光手段を伝わるバックライト光をベースシートの外縁から漏れ難くすることができ、導光効率を高めることができる。
【００２１】
減衰手段がゴム状弾性体などで形成される場合には、ベースシートの裏面を形成するものとすることができる。このようにすれば、ベースシートの導光手段を伝わるバックライト光をベースシートの裏面から漏れ難くすることができ、導光効率を高めることができる。また、導光手段をゴム状弾性体とした場合に、その導光手段に設けた拡散層で表示要素を形成すれば、ベースシートの裏面を形成する減衰手段を表示要素の背景とすることができる。
【００２２】
また、本発明は、導光シートでなるベースシートと、該ベースシートの操作面側に固着される透光性のキートップと、を備え、バックライト光によってキートップの操作機能を表示する表示要素が照光可能な照光式キーシートと、複数の内部光源を備える回路基板と、を備える押釦スイッチであって、ベースシートが光を伝える導光手段と光を減衰または反射する減衰手段を有し、この減衰手段が導光手段を光を伝える複数の照光エリアに区分する導光シートであり、一のキートップの有する複数の操作機能を表示する複数の表示要素が、その表示要素に対応する照光エリアからキーシートが照光される押釦スイッチを提供する。
【００２３】
本発明の押釦スイッチでは、ベースシートが、キートップの投影面を複数に区画する前記減衰手段を有しており、投影面の区画領域ごとに異なる前記内部光源より発せられた光を前記導光手段によってキートップの区画領域ごと伝えるため、キートップの投影面における減衰手段によって区画された領域を、それぞれ異なる内部光源より発せられた光で照光することができ、区画領域ごとに個別に照光制御をすることができる。
【発明の効果】
【００２４】
本発明の照光式キーシート及び押釦スイッチによれば、キートップの投影面における減衰手段によって区画された領域を、それぞれ異なるバックライト光で照光することができ、区画領域ごとに個別に照光制御をすることができる。よって１つのキートップ内に並設されている表示要素を利用機能ごとに分けて照光する照光式キーシート及び押釦スイッチを実現することができる。
【発明を実施するための最良の形態】
【００２５】
以下、本発明の実施形態について図面を参照しつつ説明する。また、「電子機器」としての携帯電話機に本発明の照光式キーシート（以下「キーシート」略記する）を適用する例について説明する。なお、各実施形態で共通する構成については、同一の符号を付して重複説明を省略する。
【００２６】
第１実施形態〔図１〜図６〕：
第１実施形態のキーシート１を図１〜図４に示し、キーシート１を備える押釦スイッチ２を図４，図６に示す。図１はキーシート１における照光時の平面図、図２はキーシート１における他の照光時の平面図、図３はキーシート１の分解平面図、図４はキーシート１の断面図、図５は押釦スイッチ２の拡大説明図、図６は押釦スイッチ２の拡大断面図を示す。第１実施形態のキーシート１は、ベースシート３、キートップ４、トップカバー５、押し子シート６を備えている。
【００２７】
ベースシート３は、ゴム状弾性体でなる導光手段８と、ゴム状弾性体でなる減衰手段９で形成されている。
導光手段８はベースシート３の基材であり、透明で光を伝える部分である。そしてその表面は、平坦な平滑面とされている。また、図３（Ｃ）で示すように、平面視で角波形状に蛇行する透孔８ａが形成されている。このような導光手段８の操作面側とは反対の裏面には、キートップ４の投影面Ｒに対応する位置に拡散層１０が設けられている。この拡散層１０は、平仮名や片仮名、アルファベット、記号などを表す表示要素２０の形状に形成されている。
【００２８】
減衰手段９は図３（Ｃ）で示すように、導光手段８の透孔８ａ内に形成されており、１つのキートップ４の投影面Ｒを左右に区画する分割部９ａと、キートップ４の投影面Ｒの全体を縦列に区画する仕切部９ｂと、を有している。さらに減衰手段９は、図４で示すように、中空に形成されている。即ち、透孔８ａを埋めること無く透孔８ａの向かい合う壁面に対してそれぞれ膜状に設けられている。
【００２９】
ベースシート３の導光手段８に用いる材質としては、透明性のゴム状弾性体の他、透明性の熱可塑性樹脂、硬化性樹脂を使用する。例えば、ゴム状弾性体としては、シリコーンゴム、エチレンプロピレンゴム、ブタジエンゴム、スチレン系熱可塑性エラストマー、ウレタン系熱可塑性エラストマー、オレフィン系熱可塑性エラストマー、アクリル系熱可塑性エラストマー、ポリエステル系熱可塑性エラストマー、ポリアミド系熱可塑性エラストマーなどが挙げられる。なかでも高透明性なシリコーンゴム、ウレタン系熱可塑性エラストマー、アクリル系熱可塑性エラストマーなどが好ましい。熱可塑性樹脂や硬化性樹脂としては、ポリエチレン樹脂、ポリプロピレン樹脂、ポリカーボネート樹脂、ポリエチレンテレフタレート樹脂、ポリブチレンテレフタレート樹脂、アクリル樹脂、ポリアミド樹脂、ポリウレタン樹脂などが挙げられる。なかでも高透明性のポリカーボネート樹脂、アクリル樹脂などが好ましい。
【００３０】
ベースシート３の減衰手段９に用いる材質としては、顔料を配合したゴム状弾性体や樹脂を塗料化したものや、顔料を配合した液状の硬化性樹脂を使用する。これらのなかでも、シリコーンゴム、エチレンプロピレンゴム、ブタジエンゴム、スチレン系熱可塑性エラストマー、ウレタン系熱可塑性エラストマー、アクリル系熱可塑性エラストマー、ポリカーボネート樹脂、アクリル樹脂、ポリウレタン樹脂など、導光手段８と同材質のものを用いると導光手段８と減衰手段９とを容易に固着することができる。
【００３１】
ベースシート８の厚みは、３０μｍ〜５００μｍが好ましい。３０μｍ未満ではベースシート８が薄いためベースシート８の内部に伝わる光量が小さくなり、表示要素２０の照光輝度が低くなってしまう。５００μｍを超えても内部光源から入射する光量を殆ど増やすことができず、また高い剛性を有することでキーシート１の押圧荷重が増えて操作性が悪くなってしまう。
【００３２】
拡散層１０に用いる材質としては、ベースシート３に印刷形成が可能な樹脂を使用する。例えば、ポリカーボネート樹脂、アクリル樹脂、ウレタン樹脂、塩化ビニル樹脂、ポリエステル樹脂、エポキシ樹脂などが挙げられる。そして、これらの樹脂に、高屈折率の充填材、光反射率の高い充填材などを配合されている。このような充填材として、例えば、酸化チタンが挙げられる。
拡散層１０でなる表示要素２０は非照光時には、視認できても良いし、視認できないようにして照光時にのみ視認できるようにしても良い。
【００３３】
キートップ４は、透明またはスモーク調などの透光性樹脂でなり、平面視で矩形状に形成されている。このキートップ４はベースシート３の操作面側に図外の接着剤で固着されている。
キートップ４を透明とすれば、非照光時にはキートップ４の裏面側に設けた表示要素２０が視認されるし、照光時にはこの表示要素２０が照光して視認される。また、キートップ４をスモーク調とすれば、非照光時にはキートップ４の裏面側に設けた表示要素２０が視認されず、照光時にこの表示要素２０が照光して視認されるように形成することもできるし、非照光時に表示要素２０がぼやけて視認され照光時に表示要素２０がぼやけて照光して視認されるように形成することができる。
キートップ４に用いる樹脂の材質は、表示要素２０を明確に視認させるには透光性樹脂の中でも透明性の高い熱可塑性樹脂や反応硬化性樹脂を用いることが好ましい。こうした樹脂には例えば、ポリカーボネート樹脂や、アクリル樹脂、ウレタン樹脂、ポリエチレンテレフタレート樹脂、ポリエステル樹脂、エポキシ樹脂、シリコーン樹脂などが挙げられる。スモーク調とする場合には、これらの樹脂に添加剤を加えてスモーク調としたり、透明性が低いＡＢＳ樹脂などを挙げることができる。
【００３４】
トップカバー５は樹脂または金属などでなり、図３（Ａ）で示すように平面視で矩形状の透孔５ａを有する格子状に形成されている。この透孔５ａ内には前述のキートップ４が表出している。即ち、ベースシート３の操作面に対してキートップ４どうしの間及びキートップ４群の外周を囲むように設けられている。
トップカバー５に用いる材質は、例えば、熱可塑性樹脂としては、ポリエチレン樹脂、ポリプロピレン樹脂、ポリスチレン樹脂、ポリカーボネート樹脂、ポリエチレンテレフタレート樹脂、ポリブチレンテレフタレート樹脂、アクリル樹脂、ポリアミド樹脂、ポリウレタン樹脂、アクリロニトリル−ブタジエン−スチレン共重合体樹脂などが挙げられる。また、金属としては、アルミニウム、チタン、ステンレス、マグネシウム合金などの金属類が挙げられる。
【００３５】
押し子シート６は樹脂フィルム６ａと押し子６ｂを備えている。
樹脂フィルム６ａはベースシート３と略同じ形状に形成され、ベースシート３に対して外周に設けた接着層１１で固着している。
樹脂フィルム６ａに用いる樹脂の材質としては、例えば、ポリエチレン樹脂、ポリプロピレン樹脂、ポリスチレン樹脂、ポリカーボネート樹脂、ポリエチレンテレフタレート樹脂、ポリブチレンテレフタレート樹脂、アクリル樹脂、ポリアミド樹脂、ポリウレタン樹脂、アクリロニトリル−ブタジエン−スチレン共重合体樹脂などが挙げられる。これらのなかでも、柔軟で高い透明性のポリウレタン樹脂でなる樹脂フィルムが好ましい。
【００３６】
押し子６ｂは樹脂でなり、キーシート１の裏面側に備えられる回路基板上の接点スイッチを押圧する部材である。この押し子６ｂはキートップ４ごとに対応して樹脂フィルム６ａにおける回路基板との対向面（裏面）に設けられている。
押し子６ｂに用いる材質としては、機械的強度、耐久性、及び軽量化等の要求性能により、熱可塑性樹脂、熱硬化性樹脂、活性エネルギー線硬化性樹脂などを用いることが好ましい。例えば、ポリカーボネート樹脂、ポリエチレンテレフタレート樹脂、アクリル樹脂、ポリプロピレン樹脂、ポリスチレン樹脂、ポリアクリル共重合樹脂、ポリオレフィン樹脂、アクリロニトリルブタジエンスチレン樹脂、ポリエステル樹脂、エポキシ樹脂、ポリウレタン樹脂、ポリアミド樹脂、シリコーン樹脂、ウレタン系熱可塑性エラストマー、オレフィン系熱可塑性エラストマー、アクリル系熱可塑性エラストマー、ポリエステル系熱可塑性エラストマー、ポリアミド系熱可塑性エラストマーなどが挙げられる。これらのなかでも、ウレタンアクリレートを主体とする紫外線硬化型のウレタン樹脂が機械的強度、耐久性に優れる点で好ましい。
【００３７】
ここで、キーシート１の製造方法について説明する。
先ず、ゴム状弾性体でなるベースシート３を形成する。透孔８ａを有する導光手段８を形成した後、透孔８ａの壁面に遮光性塗料で減衰手段９を形成する。そしてベースシート３の裏面に拡散層１０を印刷形成する。次に、ベースシート３の操作面に、別途成形したキートップ４とトップカバー５を固着する。最後に、ベースシート３の裏面に対し、樹脂フィルム６ａに押し子６ｂを形成した押し子シート６を接着層１１で固着して、キーシート１を得る。
【００３８】
本実施形態では、透孔８ａの壁面に形成した遮光性塗料で塗布した部位を減衰手段９としているが、遮光性塗料を塗布しない場合であっても、透孔８ａ自体をベースシート３に設けた減衰手段とすることもできる。
こうした減衰手段は、例えば１枚のベースシートにレーザーでスリットを設けたり、レーザー以外の方法としてビク型などの刃でカットしてスリットを設けたりすることができる。また、スリットを備えるベースシートを射出成形やコンプレッション成形で形成してもよい。このようなベースシートのスリット端面を鏡面とすれば、端面で光が拡散されずに反射するため、光源から遠い位置まで明るく照光することができる。
【００３９】
次に、キーシート１を備える押釦スイッチ２について説明する。
図５，図６で示すように、キーシート１は押し子６ｂが回路基板１２上の接点スイッチとしての皿ばね１３と接触するようにして、筐体７の内部に装着される。このキーシート１の外縁は、回路基板１２上に配置した内部光源としてのＬＥＤ１４と対向状態にある。本実施形態では、ＬＥＤ１４がＬＥＤ１４ａ〜ＬＥＤ１６ｆと６つあり、減衰手段９における１つのキートップ４の投影面Ｒを左右に区画する分割部９ａ及びキートップ４の投影面Ｒの全体を縦列に区画する仕切部９ｂとバックライト光の導光方向とが略並行方向になるように、キーシート１の上側外縁と下側外縁に配置してある。
【００４０】
そしてＬＥＤ１４が発光すると、矢示するようにその光はベースシート３における導光手段８の外縁より入射して導光手段８の内部をベースシート３の面方向に伝わり、拡散層１０で面方向に伝わる光の進路をキートップ４方向に変更する。そいてキートップ４内には表示要素２０の形状に照光する拡散層１０を視認できる。例えば、ＬＥＤ１４ａ〜ＬＥＤ１４ｆを全て点灯すると、図１で示すようにキートップ４内の全ての表示要素２０がバックライト光で照光され視認できる。ＬＥＤ１４ａ〜ＬＥＤ１４ｃを点灯すると、図２（Ａ）で示すようにキートップ４内の右側の表示要素２０はバックライト光で照光し、キートップ４内の左側の表示要素２０は減衰手段９の分割部９ａや仕切部９ｂによってバックライト光が遮られて照光しない。ＬＥＤ１４ｄ〜ＬＥＤ１４ｆを点灯すると、図２（Ｂ）で示すようにキートップ４内の左側の表示要素２０はバックライト光で照光し、キートップ４内の右側の表示要素２０は減衰手段９の分割部９ａや仕切部９ｂによってバックライト光が遮られて照光しない。
【００４１】
キーシート１及び押釦スイッチ２によれば、キートップ４の投影面Ｒにおける減衰手段９の分割部９ａによって区画された領域を、それぞれ異なるＬＥＤ１４からのバックライト光で照光することができ、区画領域ごとに個別に照光制御をすることができる。よって１つのキートップ４内に並設されている表示要素２０を利用機能ごとに分けて照光するキーシート１及び押釦スイッチ２を実現することができる。
【００４２】
減衰手段である減衰手段９の分割部９ａや仕切部９ｂは、導光手段８を伝わるバックライト光と略並行方向に形成されているため、導光手段８を伝わるバックライト光の進路を減衰手段９の分割部９ａや仕切部９ｂで遮り難くすることができ、導光効率を高めることができる。
【００４３】
導光手段をゴム状弾性体でなる導光手段８とするため、弾性変形するベースシート３とすることができ、押圧操作の際に弾性変形に伴う押圧操作感を得ることができる。
【００４４】
減衰手段をゴム状弾性体でなる減衰手段９とするため、減衰手段が弾性変形することができ、押圧操作の際に押圧操作性を高めることができる。
減衰手段９を中空に形成するため、ベースシートを軽量化することができる。そして仕切部９ｂは、押圧操作の際に隣接するキートップ４への応力を絶縁することができ、隣接するキートップ４を連動し難くすることができる。
【００４５】
拡散層１０がベースシート３の裏面に表示要素２０の形状で形成されているため、バックライト照光によってキートップ４の奥に沈む表示要素２０を視認することができる。
【００４６】
第１実施形態の第１変形例〔図７〕：
第１実施形態のキーシート１では、ベースシート３の裏面に表示要素２０を設ける例を示したが、第１変形例のキーシート１５では、キートップ４の裏面に遮光層１６ａや透光層１６ｂによる印刷表示層１６を形成し、ベースシート３の裏面にドット状に分散する拡散層１７を形成することができる。さらにゴム状弾性体でなる減衰手段９を光反射層１８に変更し、分割部９ａ、仕切部９ｂをそれぞれ分割部１８ａ、仕切部１８ｂすることができる。
このようにしても、１つのキートップ４内に並設されている表示要素２０を利用機能ごとに分けて照光することができ、さらに非照光時でも表示要素２０を視認し易くすることができる。さらに減衰手段を光反射層とするため、導光手段８を伝わっている光を、光反射層１８を挟んだ導光手段９へ伝わり難くすることができ、キートップ４を光反射層１８で区画する領域ごとに明るく照光することができる。
【００４７】
第１実施形態の第２変形例〔図８〕：
第１実施形態のキーシート１では、キートップ４やトップカバー５の裏面に印刷表示層を設けない例を示したが、第２変形例のキーシート１８では、キートップ４の裏面に拡散層１０よりやや縮小された相似形の表示要素２０を示す遮光層１６ａとキートップ４の全裏面を覆う透明な透光層１６ｂとによる印刷表示層１６を形成することができる。
このようにしても、１つのキートップ４内に並設されている表示要素２０を利用機能ごとに分けて照光することができ、非照光時でも表示要素２０を視認し易くすることができ、さらに照光時には表示要素２０の輪郭が光るように視認することができる。
【００４８】
第２実施形態〔図９〕：
第２実施形態のキーシート２１を図９に示す。図９はキーシート２１断面図を示す。第２実施形態のキーシート２１が第１実施形態のキーシート１と異なるのは、ベースシート２３を構成する減衰手段２９の構成である。その他の構成、及びその作用、効果はキーシート１と同じである。
【００４９】
減衰手段２９は減衰手段９と同様に、導光手段８の透孔８ａ内に形成されており、１つのキートップ４の投影面Ｒを左右に区画する分割部２９ａと、キートップ４の投影面Ｒの全体を縦列に区画する仕切部２９ｂと、を有している。減衰手段９と異なるのは、中実に形成されている。
【００５０】
キーシート２１の製造方法について説明する。先ず、ゴム状弾性体でなるベースシート２３を形成する。透孔８ａを有する導光手段８を形成した後、透孔８ａの内部にゴム状弾性体でなる減衰手段２９を形成する。そしてベースシート２３の裏面に拡散層１０を印刷形成する。次に、ベースシート２３の操作面に、別途成形したキートップ４とトップカバー５を固着する。最後に、ベースシート２３の裏面に対し、押し子シート６を接着層１１で固着して、キーシート２１を得る。減衰手段２９は、ゴム状弾性体とする以外に、非透明性樹脂としても良い。例えば、白色の樹脂とすることもできる。
【００５１】
キーシート２１はキーシート１と同様に押釦スイッチ２に備えることができる。押し子６ｂが回路基板１２上の接点スイッチとしての皿ばね１３と接触するようにして、筐体７の内部に装着する。このキーシート２１の外縁は、回路基板１２上に配置した内部光源としてのＬＥＤ１４と対向状態にある。ＬＥＤ１４はＬＥＤ１４ａ〜ＬＥＤ１６ｆと６つあり、減衰手段２９の分割部２９ａ及び仕切部２９ｂとバックライト光の導光方向とが略並行方向になるように、キーシート２１の上側外縁と下側外縁に配置してある（図５，図６参照）。
ＬＥＤ１４ａ〜ＬＥＤ１４ｆを全て点灯すると、キートップ４内の全ての表示要素２０がバックライト光で照光され視認できる。ＬＥＤ１４ａ〜ＬＥＤ１４ｃを点灯すると、キートップ４内の右側の表示要素２０はバックライト光で照光し、キートップ４内の左側の表示要素２０は分割部２９ａや仕切部２９ｂによってバックライト光が遮られて照光しない。ＬＥＤ１４ｄ〜ＬＥＤ１４ｆを点灯すると、キートップ４内の左側の表示要素２０はバックライト光で照光し、キートップ４内の右側の表示要素２０は分割部２９ａや仕切部２９ｂによってバックライト光が遮られて照光しない（図１，図２参照）。
【００５２】
キーシート２１によれば、減衰手段２９を中実に形成するため、ベースシート２３の剛性を高めることができ、キーシート２３の製造や携帯電話機への装着を容易にすることができる。
さらにゴム状弾性体でなる導光手段８と減衰手段２９の弾性率を同等にすれば、ベースシート２３を偏り無く弾性変形させることができ、押圧操作感を高めることができると共に正確な押圧操作を実現にすることができる。
なお、ベースシート２３の裏面側に対し押し子シート６を全面固着すれば、さらにベースシート２３の剛性を補強することができる。
【００５３】
第３実施形態〔図１０〕：
第３実施形態のキーシート３１を図１０に示す。図１０はキーシート３１断面図を示す。第３実施形態のキーシート３１が第２実施形態のキーシート２１と異なるのは、ベースシート２３が樹脂フィルム３２を備える構成である。その他の構成、及びその作用、効果はキーシート２１と同じである。
【００５４】
樹脂フィルム３２は透明な樹脂で形成されており、ベースシート２３の全操作面側を覆うように固着されている。樹脂フィルム３２は、キートップ４、トップカバー５、ベースシート８を固着し、一体化するために設ける層である。これらは必ずしも固着する必要がなく、例えば、キートップ４とトップカバー５を樹脂フィルム３２と一体化し、ベースシート８をこれらに固着せずに貼り合わせて、機器に組み込むことも可能である。
樹脂フィルム３２に用いる樹脂の材質は、透明性が高く、可撓性を有することが好ましい。こうした樹脂としては、例えば、ポリエチレン樹脂、ポリプロピレン樹脂、ポリカーボネート樹脂、ポリエチレンテレフタレート樹脂、ポリブチレンテレフタレート樹脂、アクリル樹脂、ポリアミド樹脂、ポリウレタン樹脂、ウレタン系熱可塑性エラストマー、オレフィン系熱可塑性エラストマー、アクリル系熱可塑性エラストマー、ポリエステル系熱可塑性エラストマー、ポリアミド系熱可塑性エラストマーなどが挙げられる。
【００５５】
キーシート３１の製造方法について説明する。先ず、ゴム状弾性体でなるベースシート２３を形成する。樹脂フィルム３２に透孔８ａを有する導光手段８を形成した後、透孔８ａの内部に液状ゴムを注入し硬化してゴム状弾性体でなる減衰手段２９を形成する。そしてベースシート２３の裏面に拡散層１０を印刷形成する。次に、樹脂フィルム３２の操作面側に、別途成形したキートップ４とトップカバー５を固着する。最後に、ベースシート２３の裏面に対し、押し子シート６を接着層１１で固着して、キーシート３１を得る。
【００５６】
キーシート３１はキーシート２１と同様に押釦スイッチ２に備えることができる。そしてＬＥＤ１４ａ〜ＬＥＤ１４ｆを全て点灯すると、キートップ４内の全ての表示要素２０がバックライト光で照光され視認できる。ＬＥＤ１４ａ〜ＬＥＤ１４ｃを点灯すると、バックライト光でキートップ４内の右側の表示要素２０が照光する。ＬＥＤ１４ｄ〜ＬＥＤ１４ｆを点灯すると、バックライト光でキートップ４内の左側の表示要素２０が照光する。
【００５７】
キーシート３１によれば、ベースシート２３の操作面側に透明な樹脂フィルム３２を設けるため、キートップ４やトップカバー５の固着を、ベースシート２３の素材に影響されることなく強固に固着することができる。また、変形例として表示要素２０や拡散層を樹脂フィルム３２に印刷形成することができ、表示要素２０や拡散層をベースシート２３の素材に影響されることなく容易に設けることができる。
ベースシート２３の製造では、樹脂フィルム３２に導光手段８を設けた後に減衰手段９を設けるため、導光手段８の操作面側に減衰手段９が被ることを回避することができ、簡単にベースシート２３を得ることができる。
【００５８】
第４実施形態〔図１１〕：
第４実施形態のキーシート４１を図１１に示す。図１１はキーシート４１断面図を示す。第４実施形態のキーシート４１が第３実施形態のキーシート３１と異なるのは、目隠し部４２を備える点、キートップ４４及びトップカバー４５の構成である。その他の構成、及びその作用、効果はキーシート３１と同じである。
【００５９】
目隠し部４２は樹脂フィルム３２の操作面に固着し、減衰手段２９の幅よりやや大きい幅の断面台形状で、減衰手段２９の操作面側を覆って平面視で角波形状に蛇行して形成されている。
目隠し部４２に用いる材質としては、樹脂フィルム３２に対し固着できるもので、顔料を配合したゴム状弾性体や樹脂を塗料化した塗料、又は顔料を配合した液状の硬化性樹脂を使用する。例えば、ポリカーボネート樹脂、アクリル樹脂、ウレタン樹脂、ウレタン系熱可塑性エラストマー、アクリル系熱可塑性エラストマーなど導光手段８と同種類の熱可塑性樹脂を用いると導光手段８と目隠し部４２とを容易に熱圧着により固着することができる。
【００６０】
キートップ４４及びトップカバー４５は、それぞれキートップ４及びトップカバー５と略同形状であり、異なる点は、それぞれの裏面に目隠し部４２を受け容れる受容凹部４４ａ，４５ｂが形成されている。
【００６１】
キーシート４１の製造方法について説明する。先ず、ゴム状弾性体でなるベースシート２３を形成する。樹脂フィルム３２に透孔８ａを有する導光手段８を形成した後、透孔８ａの内部に液状ゴムを注入し硬化してゴム状弾性体でなる減衰手段２９を形成する。そしてベースシート２３の裏面に拡散層１０を印刷形成する。次に、樹脂フィルム３２の操作面側に目隠し部４２を形成した後、別途成形したキートップ４４とトップカバー４５を固着する。最後に、ベースシート２３の裏面に対し、押し子シート６を接着層１１で固着して、キーシート４１を得る。なお、目隠し部４２は、離型フィルムに目隠し部４２となる部分を印刷し、樹脂フィルム３２に転写して設けても良い。
【００６２】
キーシート４１はキーシート３１と同様に押釦スイッチ２に備えることができる。そしてＬＥＤ１４ａ〜ＬＥＤ１４ｆを全て点灯すると、キートップ４４内の全ての表示要素２０がバックライト光で照光され視認できる。ＬＥＤ１４ａ〜ＬＥＤ１４ｃを点灯すると、バックライト光でキートップ４４内の右側の表示要素２０が照光する。ＬＥＤ１４ｄ〜ＬＥＤ１４ｆを点灯すると、バックライト光でキートップ４４内の左側の表示要素２０が照光する。
【００６３】
キーシート４１によれば、ベースシート２３の操作面側に、減衰手段２９を覆う目隠し部４２を設けるため、減衰手段２９と導光手段８との界面が明るく光ってもキートップ４４を通して視認し難くすることができ、照光時の見映えを良くすることができる。
【００６４】
第４実施形態の変形例〔図１２〕：
第４実施形態のキーシート４１では、目隠し部４２を樹脂フィルム３２の操作面側に設ける例を示したが、変形例のキーシート４７では目隠し部４２を樹脂フィルム３２の裏面側にスクリーン印刷などで設けることができる。
このようにしても、目隠し部４２で、減衰手段２９と導光手段８との界面が明るく光っていてもキートップ４４を通して視認し難くすることができ、照光時の見映えを良くすることができる。
【００６５】
第５実施形態〔図１３，図１４〕：
第５実施形態のキーシート５１を図１３，図１４に示す。図１３はキーシート５１断面図、図１４はキーシート５１の製造工程の説明図を示す。第５実施形態のキーシート５１が第３実施形態のキーシート３１と異なるのは、樹脂フィルム５２、ベースシート５３、押し子シート５６の構成である。その他の構成、及びその作用、効果はキーシート３１と同じである。
【００６６】
ベースシート５３は導光手段８と減衰手段５９から構成されている。
減衰手段５９は減衰手段２９と同様に、１つのキートップ４の投影面Ｒを左右に区画する分割部５９ａと、キートップ４の投影面Ｒの全体を縦列に区画する仕切部５９ｂと、を有しており、中実に形成されている。減衰手段２９と異なる点は、減衰手段５９の操作面側及び裏面側の両端に、導光手段８より外方に突出する突出部５９ｃを形成しており、その突出部５９ｃは透孔８ａの幅よりやや大きい幅の断面台形状に形成されている。この突出部５９ｃは「目隠し部」を構成する。
【００６７】
樹脂フィルム５２は樹脂フィルム３２と同様に、ベースシート５３の全操作面側を覆うように固着されている。樹脂フィルム３２と異なる点は、ベースシート５３の操作面側に突出部５９ｃを受け容れる受容凹部５２ａが形成されている。
【００６８】
押し子シート５６は押し子シート６と同様に、樹脂フィルム５６ａと押し子５６ｂから構成されている。押し子シート６と異なる点は、ベースシート５３の裏面側に突出部５９ｃ及び拡散層１０を受け容れる受容凹部５６ｃが形成されている。
【００６９】
キーシート５１の製造方法について説明する。先ず、透孔８ａを有する導光手段８を形成した後、導光手段８の裏面に拡散層１０を印刷形成する。そして、樹脂フィルム５２の裏面側に熱可塑性エラストマーでなる減衰手段５９用の遮光性弾性体５９ｄを形成する。この遮光性弾性体５９ｄは、平面視では角波形状に蛇行しているが、断面では導光手段８の透孔８ａを埋める長さの略半分の長さに形成されている。
おり、押し子シート５６に形成される遮光性弾性体５９ｄと一体となって減衰手段５９を形成する。
また、樹脂フィルム５６ａに紫外線硬化型樹脂などを用いて押し子５６ｂを形成した押し子シート５６の操作面側に遮光性弾性体５９ｄを印刷形成する。その後、図１４で示すように、導光手段８を樹脂フィルム５２と押し子シート５６とで挟んで熱圧着する。最後に、別途成形したキートップ４とトップカバー５を樹脂フィルム５２の操作面側に固着して、キーシート５１を得る。
【００７０】
キーシート５１はキーシート３１と同様に押釦スイッチ２に備えることができる。そしてＬＥＤ１４ａ〜ＬＥＤ１４ｆを全て点灯すると、キートップ４内の全ての表示要素２０がバックライト光で照光され視認できる。ＬＥＤ１４ａ〜ＬＥＤ１４ｃを点灯すると、バックライト光でキートップ４内の右側の表示要素２０が照光する。ＬＥＤ１４ｄ〜ＬＥＤ１４ｆを点灯すると、バックライト光でキートップ４内の左側の表示要素２０が照光する。
【００７１】
キーシート５１によれば、「目隠し部」としての突出部５９ｃが、減衰手段５９と導光手段８との界面をキートップ４を通して視認し難くすることができ、照光時の見映えを良くすることができる。
【００７２】
第６実施形態〔図１５〕：
第６実施形態のキーシート６１を図１５に示す。図１５はキーシート６１の断面図を示す。第６実施形態のキーシート６１が第３実施形態のキーシート３１と異なるのは、樹脂フィルム５２を備える点、ベースシート６３の構成である。その他の構成、及びその作用、効果はキーシート３１と同じである。
【００７３】
樹脂フィルム５２は受容凹部５２ａに目隠し部６２が形成されている。目隠し部６２は受容凹部５２ａを埋めるもので、樹脂フィルム５２の裏面より突出するその先端部６２ａは導光手段８の透孔８ａ内に突入して、透孔８ａの壁面と固着している。
【００７４】
ベースシート６３は導光手段８で構成されている。透孔８ａ内の空間が「減衰手段」を構成する。
【００７５】
キーシート６１の製造方法について説明する。先ず、導光手段８となる透孔８ａを形成した後、導光手段８の裏面に拡散層１０を印刷形成する。そして、樹脂フィルム５２の裏面側に熱可塑性エラストマーでなる目隠し部６２を熱圧着で形成する。そしてこの樹脂フィルム５２と導光手段８を熱圧着して一体化する。その後、別途成形したキートップ４とトップカバー５を樹脂フィルム５２の操作面側に固着する。最後に、ベースシート６３の裏面に対し、押し子シート６を接着層１１で固着して、キーシート６１を得る。
【００７６】
キーシート６１はキーシート３１と同様に押釦スイッチ２に備えることができる。そしてＬＥＤ１４ａ〜ＬＥＤ１４ｆを全て点灯すると、キートップ４内の全ての表示要素２０がバックライト光で照光され視認できる。ＬＥＤ１４ａ〜ＬＥＤ１４ｃを点灯すると、バックライト光でキートップ４内の右側の表示要素２０が照光する。ＬＥＤ１４ｄ〜ＬＥＤ１４ｆを点灯すると、バックライト光でキートップ４内の左側の表示要素２０が照光する。
【００７７】
キーシート６１によれば、透孔８ａの空間を減衰手段とするため、導光分８を伝わっている光を、空間を挟んだ導光手段８へ伝わり難くすることができ、キートップ４を空間で区画する領域ごとに照光することができる。
【００７８】
目隠し部６２が、空間に接する導光手段８の端面をキートップ４を通して視認し難くすることができ、照光時の見映えを良くすることができる。
【００７９】
第７実施形態〔図１６〕：
第７実施形態のキーシート７１を図１６に示す。図１５はキーシート７１の断面図を示す。第７実施形態のキーシート７１が第２実施形態のキーシート２１と異なるのは、ベースシート７３の構成である。その他の構成、及びその作用、効果はキーシート２１と同じである。
【００８０】
ベースシート７３はベースシート２３と同様に、ゴム状弾性体でなる導光手段７８と、ゴム状弾性体でなる減衰手段７９で形成されている。
導光手段７８は導光手段８と同様に、平面視で角波形状に蛇行する透孔７８ａが形成されている。導光手段８と異なる点は、透孔７８ａの操作面側の開口幅が裏面側の開口幅より大きく形成されている。
減衰手段７９は減衰手段２９と同様に、導光手段７８の透孔７８ａ内に形成されており、１つのキートップ４の投影面Ｒを左右に区画する分割部７９ａと、キートップ４の投影面Ｒの全体を縦列に区画する仕切部７９ｂと、を有している。減衰手段２９と異なる点は、断面形状が透孔７８ａを埋める台形形状に形成されている。つまり減衰手段７９の導光手段７８との界面はベースシート７３の裏面側に臨んでいる。
【００８１】
キーシート７１の製造方法について説明する。先ず、ゴム状弾性体でなるベースシート７３を形成する。透孔７８ａを有する導光手段７８を形成した後、透孔７８ａの内部にゴム状弾性体でなる減衰手段７９を形成する。そしてベースシート７３の裏面に拡散層１０を印刷形成する。次に、ベースシート７３の操作面に、別途成形したキートップ４とトップカバー５を固着する。最後に、ベースシート７３の裏面に対し、押し子シート６を接着層１１で固着して、キーシート７１を得る。
【００８２】
キーシート７１はキーシート２１と同様に押釦スイッチ２に備えることができる。そしてＬＥＤ１４ａ〜ＬＥＤ１４ｆを全て点灯すると、キートップ４内の全ての表示要素２０がバックライト光で照光され視認できる。ＬＥＤ１４ａ〜ＬＥＤ１４ｃを点灯すると、バックライト光でキートップ４内の右側の表示要素２０が照光する。ＬＥＤ１４ｄ〜ＬＥＤ１４ｆを点灯すると、バックライト光でキートップ４内の左側の表示要素２０が照光する。
【００８３】
キーシート７１によれば、ベースシート７３の厚み方向に構成される減衰手段７９の導光手段７８との界面が、ベースシー７３トの操作面側とは反対の裏面側に臨むものため、減衰手段７９と導光手段７８との界面をキートップ４を通して視認し難くすることができ、照光時の見映えを良くすることができる。
【００８４】
第８実施形態〔図１７，図１８〕：
第８実施形態のキーシート８１を図１７に示す。図１７はキーシート８１の断面図、図１８はキーシート８１を構成するベースシート８３の平面図を示す。第８実施形態のキーシート８１が第２実施形態のキーシート２１と異なるのは、ベースシート８３の構成である。その他の構成、及びその作用、効果はキーシート２１と同じである。
【００８５】
ベースシート８３は、導光手段８と、ゴム状弾性体でなる減衰手段８９と、導光手段８と減衰手段８９との間に挟まれる樹脂フィルム８２と、で構成されている。
減衰手段８９は減衰手段２９と同様に、導光手段８の透孔８ａ内に形成されており、１つのキートップ４の投影面Ｒを左右に区画する分割部８９ａと、キートップ４の投影面Ｒの全体を縦列に区画する仕切部８９ｂと、を有している。減衰手段２９と異なるのは、導光手段８の外縁の一部を覆う側面被覆部８９ｃと導光手段８の裏面を覆う裏面被覆部８９ｄとが設けられている。さらに裏面被覆部８９ｄの裏面にはキートップ４に対応して押し子部８９ｄが設けられている。本実施形態の側面被覆部８９ｃは図１８で示すように、導光手段８の左右の外縁を覆っている。
樹脂フィルム８２は透明な樹脂で形成されており、拡散層１０を有する導光手段８と減衰手段８９との間に固着されている。
【００８６】
キーシート８１の製造方法について説明する。先ず、ゴム状弾性体でなるベースシート８３を形成する。透孔８ａを有する導光手段８を形成した後、導光手段８の裏面に拡散層１０を印刷形成する。そしてこの導光手段８の裏面、側面及び透孔８ａ内に対し樹脂フィルム８２を絞り変形させながら固着する。次に、樹脂フィルム８２と一体にした導光手段８を減衰手段８９の成型金型にインサートして減衰手段８９を形成する。最後に、ベースシート８３の操作面に、別途成形したキートップ４とトップカバー５を固着して、キーシート８１を得る。
【００８７】
キーシート８１はキーシート２１と同様に押釦スイッチ２に備えることができる。そしてＬＥＤ１４ａ〜ＬＥＤ１４ｆを全て点灯すると、キートップ４内の全ての表示要素２０がバックライト光で照光され視認できる。ＬＥＤ１４ａ〜ＬＥＤ１４ｃを点灯すると、バックライト光でキートップ４内の右側の表示要素２０が照光する。ＬＥＤ１４ｄ〜ＬＥＤ１４ｆを点灯すると、バックライト光でキートップ４内の左側の表示要素２０が照光する。
【００８８】
キーシート８１によれば、減衰手段８９の側面被覆部８９ｃがベースシート８３の一部の外縁を覆うため、ベースシート８３の導光手段８を伝わるバックライト光をベースシート８３の外縁から漏れ難くすることができ、導光効率を高めることができる。
【００８９】
減衰手段８９の裏面被覆部８９ｄがベースシート８３の裏面を覆うため、ベースシート８３の導光手段８を伝わるバックライト光をベースシート８３の裏面から漏れ難くすることができ、導光効率を高めることができる。また、裏面被覆部８９ｄを表示要素２０の背景とすることができる。
【００９０】
導光手段８と減衰手段８９との間に樹脂フィルム８２を設けるため、ベースシート８３の剛性を高めることができ、キーシート８１の製造や電子機器への装着を容易にすることができる。
また、ベースシート８３の製造では、樹脂フィルム８２を挟んで導光手段８と減衰手段８９を形成するため、導光手段８の操作面側に減衰手段８９が被ること、又は減衰手段８９の操作面側に導光手段８が被ることを回避することができ、簡単にベースシート８３を得ることができる。
【００９１】
第８実施形態の変形例〔図１９〕：
第８実施形態のキーシート８１では、導光手段８の透孔８ａを埋め、導光手段８の一部の外縁及び裏面を覆うゴム状弾性体を減衰手段８９とする例を示したが、変形例のキーシート８７では、導光手段８の透孔８ａを埋め、導光手段８の一部の外縁及び裏面を覆うゴム状弾性体を透光性の被覆部８６とし、透孔８ａ内部の樹脂フィルム８２に「減衰手段」としての遮光印刷層８２ａを設けることができる。
キーシート８１の製造は例えば次のように行うことができる。
約２００μｍのポリカーボネートシートからなるベースシート８にスクリーン印刷で白色インキで拡散層１０を形成する。拡散層１０の上から全面にウレタンからなる樹脂フィルム８２との接着層をスクリーン印刷で形成する。また、レーザーでベースシート８にスリットを形成する。樹脂フィルム８２にスリットと対応した位置に減衰手段８２ａとなる遮光印刷層８２ａを形成する。そして、ベースシート８と樹脂フィルム８２とを熱圧着する。ベースシート８を樹脂フィルム面８２面が被覆部８６などとなるゴム状弾性体成形用の金型にインサートし、コンプレッション成形により一体化する。一方で、ポリカーボネート製のキートップ４を射出成形で形成しておく。また、ＰＥＴシートに、必要により印刷表示層１６などを印刷し、ビク型でキートップ４が配置される孔と製品の外周をカットしてトップカバー５を製造する。最後に、このトップカバー５とキートップ４とを、両面粘着テープでベースシート８に固着する。
この遮光印刷層８２ａは導光手段８と一体化する前の樹脂フィルム８２に形成すればよく、このようにしても遮光印刷層８２ａで、１つのキートップ４の投影面Ｒを左右に区画したり、キートップ４の投影面Ｒの全体を縦列に区画できるため、ＬＥＤ１４ａ〜ＬＥＤ１４ｆによって表示要素２０を照光制御することができる。さらに透光性の被覆部８６は導光作用があるため、照光輝度を高めることができる。
【００９２】
第９実施形態〔図２０〕：
第９実施形態のキーシート９１を図２０に示す。図２０はキーシート９１の断面図を示す。第９実施形態のキーシート９１が第３実施形態のキーシート３１と異なるのは、ベースシート９３の構成である。その他の構成、及びその作用、効果はキーシート３１と同じである。
【００９３】
ベースシート９３は、導光手段８と、ゴム状弾性体でなる減衰手段９９と、で構成されている。
減衰手段９９は減衰手段２９と同様に、導光手段８の透孔８ａ内に形成されており、１つのキートップ４の投影面Ｒを左右に区画する分割部９９ａと、キートップ４の投影面Ｒの全体を縦列に区画する仕切部９９ｂと、を有している。減衰手段２９と異なるのは、導光手段８の外縁の一部を覆う側面被覆部９９ｃと導光手段８の裏面を覆う裏面被覆部９９ｄとが設けられている。さらに裏面被覆部９９ｄの裏面にはキートップ４に対応して押し子部９９ｅが設けられている。本実施形態の側面被覆部９９ｃは導光手段８の左右の外縁を覆っている（図１８参照）。
【００９４】
キーシート９１の製造方法について説明する。先ず、ゴム状弾性体でなるベースシート９３を形成する。樹脂フィルム３２に透孔８ａを有する導光手段８を形成した後、樹脂フィルム３２と一体にした導光手段８を減衰手段９９の成型金型にインサートして減衰手段９９を形成する。最後に、樹脂フィルム３２の操作面側に、別途成形したキートップ４とトップカバー５を固着して、キーシート９１を得る。
【００９５】
キーシート９１はキーシート３１と同様に押釦スイッチ２に備えることができる。そしてＬＥＤ１４ａ〜ＬＥＤ１４ｆを全て点灯すると、キートップ４内の全ての表示要素２０がバックライト光で照光され視認できる。ＬＥＤ１４ａ〜ＬＥＤ１４ｃを点灯すると、バックライト光でキートップ４内の右側の表示要素２０が照光する。ＬＥＤ１４ｄ〜ＬＥＤ１４ｆを点灯すると、バックライト光でキートップ４内の左側の表示要素２０が照光する。
【００９６】
キーシート９１によれば、減衰手段９９の側面被覆部９９ｃがベースシート９３の一部の外縁を覆うため、ベースシート９３の導光手段８を伝わるバックライト光をベースシート９３の外縁から漏れ難くすることができ、導光効率を高めることができる。
【００９７】
減衰手段９９の裏面被覆部９９ｄがベースシート９３の裏面を覆うため、ベースシート９３の導光手段８を伝わるバックライト光をベースシート９３の裏面から漏れ難くすることができ、導光効率を高めることができる。また、裏面被覆部９９ｄを表示要素２０の背景とすることができる。
【００９８】
第９実施形態の第１変形例〔図２１〕：
第９実施形態のキーシート９１では、減衰手段９９の裏面被覆部９９ｄを表示要素２０の背景とする例を示したが、第１変形例のキーシート９４では、導光手段８の裏面及び拡散層１０の裏面と減衰手段９９の裏面被覆部９９ｄとの間に明色層９５を設けることができる。
このようにすれば、明色層９５が裏面被覆部９９ｄに比べて光を吸収し難くすることができ、導光効率を高めることができる。さらに明色層９５を表示要素２０の背景とすることができる。
【００９９】
第９実施形態の第２変形例〔図２２〕：
第９実施形態のキーシート９１では、キートップ４の裏面に加飾を施さない例を示したが、第２変形例のキーシート９６では、キートップ４の裏面にハーフ蒸着層９７を設けることができる。
ハーフ蒸着層９７は、箔転写で設けることができる。
ハーフ蒸着層９７は鏡面光沢調を呈しながら光を透過するため、非照光時はキートップ４及びトップカバー５が金属調を呈して表示要素２０を視認できず、照光時には表示要素２０を視認できる新しいデザインを実現することができる。
ハーフ蒸着以外にも、光透過性の黒色印刷層や着色印刷層、光拡散性の透光性樹脂層としても、非照光時に拡散層を視認しにくくすることができる。
【０１００】
各実施形態に共通の変形例１〔図２３〕：
ここで、第３実施形態のキーシート３１を例に挙げて、各実施形態に共通する変形例を説明する。
第３実施形態のキーシート３１では、ベースシート３３の操作面側に樹脂フィルム３２を介してキートップ４とトップカバー５を固着する例を示したが、共通の変形例のキーシート１０１では、ベースシート３３の操作面側に、キートップ４、トップカバー５、樹脂フィルム３２に代えて１枚板状のキートップ１０２を固着している。キートップ１０２の裏面には遮光印刷層１０３を設け、さらにその遮光印刷層１０３を覆ってキートップ１０２の全裏面に透明印刷層１０４が設けられている。
このようにしても、表示要素２０の照光制御を行うことができ、さらに薄型のキーシート１０１を実現することができる。
【０１０１】
各実施形態に共通の変形例２〔図２４〕：
第１実施形態のキーシート１を備える押釦スイッチ２では、図５に示すように、減衰手段９が、光源であるＬＥＤ１４からの光放射方向に沿って照光エリアを区分し、ＬＥＤ１４ａ〜ＬＥＤ１４ｆまでの図中上下６つのＬＥＤからの直接光で表示要素２０を照光していた。しかしながら、表示要素２０に対して所望する適度な照光輝度に応じて、適宜ＬＥＤの数を調整することができる。
例えば、図２４に示すように、ＬＥＤ１４ｇ〜ＬＥＤ１４ｊまでの図中上下４つのＬＥＤからの直接光と、その直接光が減衰手段９で反射する反射光（間接光）とで表示要素２０を照光するように押釦スイッチ１０５を形成しても良い。
【０１０２】
また、前述した各実施形態及び各変形例の特徴的な構成は、他の実施形態にも適用することができる。
【図面の簡単な説明】
【０１０３】
【図１】第１実施形態のキーシートにおける照光時に視認できる表示要素を示す説明図。
【図２】第１実施形態のキーシートにおける他の照光時に視認できる表示要素を示す説明図。
【図３】第１実施形態のキーシートにおける分解図であり、分図（Ａ）がトップカバーの平面図、分図（Ｂ）がキートップの平面図、分図（Ｃ）がベースシートの平面図、分図（Ｄ）が押し子シートの平面図。
【図４】図１のＳＡ−ＳＡ線断面図。
【図５】第１実施形態のキーシートを備える押釦スイッチの拡大説明図。
【図６】図５のＳＢ−ＳＢ線断面図。
【図７】第１実施形態のキーシートにおける第１変形例を示す図４相当断面図。
【図８】第１実施形態のキーシートにおける第２変形例を示す図４相当断面図。
【図９】第２実施形態のキーシートを示す図４相当断面図。
【図１０】第３実施形態のキーシートを示す図４相当断面図。
【図１１】第４実施形態のキーシートを示す図４相当断面図。
【図１２】第４実施形態のキーシートにおける変形例を示す図４相当断面図。
【図１３】第５実施形態のキーシートを示す図４相当断面図。
【図１４】第５実施形態のキーシートにける製造工程を示す説明図。
【図１５】第６実施形態のキーシートを示す図４相当断面図。
【図１６】第７実施形態のキーシートを示す図４相当断面図。
【図１７】第８実施形態のキーシートを示す図４相当断面図。
【図１８】第８実施形態のキーシートに用いるベースシートの平面図。
【図１９】第８実施形態のキーシートにおける変形例を示す図４相当断面図。
【図２０】第９実施形態のキーシートを示す図４相当断面図。
【図２１】第９実施形態のキーシートにおける第１変形例を示す図４相当断面図。
【図２２】第９実施形態のキーシートにおける第２変形例を示す図４相当断面図。
【図２３】各実施形態のキーシートに共通の一の変形例を示す図４相当断面図。
【図２４】各実施形態のキーシートに共通の他の一の変形例を示す図５相当断面図。
【符号の説明】
【０１０４】
１    キーシート（第１実施形態）
２    押釦スイッチ
３    ベースシート
４    キートップ
５    トップカバー
５ａ  透孔
６    押し子シート
６ａ  樹脂フィルム
６ｂ  押し子
７    筐体
８    導光手段
８ａ  透孔
９    減衰手段
９ａ  分割部
９ｂ  仕切部
１０    拡散層
１１    接着層
１２    回路基板
１３    皿ばね
１４    ＬＥＤ（内部光源）
１４ａ〜１４ｊ  ＬＥＤ
１５    キーシート（第１実施形態の第１変形例）
１６    印刷表示層
１６ａ  遮光層
１６ｂ  透光層
１７    拡散層
１８    光反射層（減衰手段）
１８ａ  分割部
１８ｂ  仕切部
１９    キーシート（第１実施形態の第２変形例）
２０    表示要素
２１    キーシート（第２実施形態）
２３    ベースシート
２９    減衰手段
２９ａ  分割部
２９ｂ  仕切部
３１    キーシート（第３実施形態）
３２    樹脂フィルム
４１    キーシート（第４実施形態）
４２    目隠し部
４４    キートップ
４４ａ  受容凹部
４５    トップカバー
４５ｂ  受容凹部透孔
４７    キーシート（第４実施形態の変形例）
５１    キーシート（第５実施形態）
５２    樹脂フィルム
５２ａ  受容凹部
５３    ベースシート
５６    押し子シート
５６ａ  樹脂フィルム
５６ｂ  押し子
５６ｃ  受容凹部
５９    減衰手段
５９ａ  分割部
５９ｂ  仕切部
５９ｃ  突出部（目隠し部）
５９ｄ  遮光性弾性体
６１    キーシート（第６実施形態）
６２    目隠し部
６２ａ  先端部
６３    ベースシート
７１    キーシート（第７実施形態）
７３    ベースシート
７８    導光手段
７８ａ  透孔
７９    減衰手段
７９ａ  分割部
７９ｂ  仕切部
８１    キーシート（第８実施形態）
８２    樹脂フィルム
８２ａ  遮光印刷層（減衰手段）
８３    ベースシート
８６    被覆部
８７    キーシート（第８実施形態の変形例）
８９    減衰手段
８９ａ  分割部
８９ｂ  仕切部
８９ｃ  側面被覆部
８９ｄ  裏面被覆部
８９ｅ  押し子部
９１    キーシート（第９実施形態）
９３    ベースシート
９４    キーシート（第９実施形態の第１変形例）
９５    明色層
９６    キーシート（第９実施形態の第１変形例）
９７    ハーフ蒸着層
９９    減衰手段
９９ａ  分割部
９９ｂ  仕切部
９９ｃ  側面被覆部
９９ｄ  裏面被覆部
９９ｅ  押し子部
１０１    キーシート（各実施形態に共通の変形例）
１０２    操作板
１０３    遮光印刷層
１０４    透明印刷層
１０５    押釦スイッチ
【図１】
2010129318.tif 000003
【図２】
2010129318.tif 000004
【図３】
2010129318.tif 000005
【図４】
2010129318.tif 000006
【図５】
2010129318.tif 000007
【図６】
2010129318.tif 000008
【図７】
2010129318.tif 000009
【図８】
2010129318.tif 000010
【図９】
2010129318.tif 000011
【図１０】
2010129318.tif 000012
【図１１】
2010129318.tif 000013
【図１２】
2010129318.tif 000014
【図１３】
2010129318.tif 000015
【図１４】
2010129318.tif 000016
【図１５】
2010129318.tif 000017
【図１６】
2010129318.tif 000018
【図１７】
2010129318.tif 000019
【図１８】
2010129318.tif 000020
【図１９】
2010129318.tif 000021
【図２０】
2010129318.tif 000022
【図２１】
2010129318.tif 000023
【図２２】
2010129318.tif 000024
【図２３】
2010129318.tif 000025
【図２４】
2010129318.tif 000026